(57)【要約】【課題】  本体部の上縁と顔面との間の隙間が生じにくいマスクを提供する。【解決手段】  マスク１の本体部２には、縦中心線Ｏ−Ｏを挟んで両側に距離を開けた位置に右側補強体２１と左側補強体２２が設けられている。補強体２１と２２は、本体シート１１，１２よりも剛性が高く、本体部２は、補強体２１，２２の対向縁部２１ａ，２２ａに沿って、顔面に向けて窪むように変形しやすい。そのため、本体シート１１，１２の上縁１１ｅ，１２ｅと顔面との間に隙間が形成されにくく、マスクと顔面との間の空気が外部に逃げにくくなって、十分な防塵効果と、保温効果を発揮できる。【選択図】図６
2006102145.tif 000002
【特許請求の範囲】
【請求項１】
鼻と口および両頬を覆う本体部と、前記本体部の左右両側から側方へ延出した一対の耳掛け部とを有するマスクにおいて、
前記本体部には、前記本体部を形成する本体シートよりも剛性の高い補強体が設けられており、この補強体は、前記本体部を左右に二分する縦中心線から左右両側に離れた位置で、且つ前記本体部の上縁に接近した位置または上縁に接する位置に部分的に設けられていることを特徴とするマスク。
【請求項２】
前記補強体の前記縦中心線に向く対向側縁が、前記縦中心線から左右に離れて位置しており、前記本体部は、前記対向縁部に沿って折り曲げ可能である請求項１記載のマスク。
【請求項３】
前記縦中心線に沿って、前記本体シートがその内面どうしが対面した状態で接合されている請求項１または２記載のマスク。
【請求項４】
前記補強体が、酸素が与えられたときに発熱する発熱体を有している請求項１ないし３のいずれかに記載のマスク。
【請求項５】
前記補強体には、前記発熱体の少なくとも一方の面を覆う断熱層が設けられている請求項４記載のマスク。
【請求項６】
前記補強体は、弾性シートを有している請求項１ないし３のいずれかに記載のマスク。
【発明の詳細な説明】
【技術分野】
【０００１】
本発明は、鼻と口および両頬を覆う本体部を備えたマスクに係り、特に前記本体部の上縁が、顔面の形状に倣って変形しやすく、また鼻の両側部分を加熱または保温できることを可能としたマスクに関する。
【背景技術】
【０００２】
顔面に装着するマスクは、病人などが唾液の飛散を防止するために着用され、さらには花粉や粉塵あるいは病原体の吸入を防止するために装着される。
【０００３】
マスクを着用した状態で、鼻や口から花粉や粉塵あるいは病原体の吸入を効果的に防止するためには、マスクの本体部と顔面との間に大きな隙間が形成されない構造が望まれる。
【０００４】
以下の特許文献１に記載のマスクには、鼻と口および両頬を覆う本体部がガーゼなどで形成され、この本体部の上縁から上方へ突出する鼻部保温部が設けられている。本体部を顔面に装着したときに前記鼻部保温部によって鼻部およびその周辺が立体的に覆われる。また、前記本体の上縁部に沿って金属線条が横方向に向けて設けられている。
【０００５】
特許文献１に記載のマスクは、前記金属線条を顔面の水平方向の湾曲に沿って押圧して変形させることによって、前記鼻部保温部が鼻部およびその周辺を覆う位置に設置されやすくなるというものである。
【０００６】
特許文献２に記載のマスクは、鼻と口および両頬を覆う本体部と、この本体部から左右に突出した一対の耳掛け用ゴムを有している。そして、前記本体部の内部に、酸化熱を発する発熱組成物が収納されており、さらに前記発熱組成物の顔面に向く内側に、不織布、多孔性シートまたは発泡プラスチックなどから成る温度緩衝材が設けられている。
【０００７】
特許文献２に記載のマスクは、発熱組成物でマスク内の空気を暖め、暖めた空気を鼻や喉に供給することによって風邪の予防や症状の緩和を図ることができるというものである。
【０００８】
次に、以下の特許文献３に記載のマスクは、ガーゼなどで形成された本体部の内部に、紙、不織布または布から成るシート材が収納されており、このシート材に、ユーカリ油、香料、メントール、グリセリンなどを含む水性パップの基剤が含まれている。この特許文献３に記載のマスクは、乾燥空気を吸引したときに、この乾燥空気が水性パップの基材によって加湿されるというものである。
【特許文献１】特開平７−３２８１３５号公報
【特許文献２】特開２００２−１４３３３０号公報
【特許文献３】実願昭６３−６１７５２号（実開平１−１６５０５３号）のマイクロフィルム
【発明の開示】
【発明が解決しようとする課題】
【０００９】
前記特許文献１に記載の発明は、マスクの本体部から上方へ突出する鼻部保温部が設けられ、この鼻部保温部で鼻部を立体的に覆うものであるため、構造が複雑であり、またマスクそのものが立体的な形状であるため、顔面から外して携帯するのが困難である。また、金属線条を変形させて本体部を顔面の形状に倣うように変形させるものであるため、顔面から外した後に金属線条を折り曲げないと折り畳むこともできないという不便さがある。
【００１０】
前記特許文献２に記載のマスクは、本来のマスクの機能に、さらにマスク内の空気を暖める機能を付加したものであるが、マスクの本体部の内部全域に金属粉を主体とする発熱組成物および温度緩衝材が収納されているため、本体部の質量が大きくなりすぎて、顔面に装着した状態で顔面に保持されにくい。また本体部のほぼ全域が硬質であるため、顔面の形状に倣うことができず、マスクの縁部と顔面との間に隙間が形成されて、マスク内で暖められた空気が外部へ漏れやすい欠点がある。
【００１１】
前記特許文献３に記載のマスクも、水性パップの基剤が含まれたシート材が、本体部の中央部に位置しているため、本体部のシート材を収納している部分が鼻に当たった状態で本体部が変形しにくい。そのため、マスクの縁部と顔面との間に隙間が形成されやすい。
【００１２】
本発明は上記従来の課題を解決するものであり、本体部の上縁が顔面の形状に倣って変形して上縁と顔面との間に隙間が形成されにくく、また本体部の全体の軟質性を損なうことがなく、顔面に装着しやすいマスクを提供することを目的としている。
【００１３】
また本発明は、比較的小さな発熱体を用いて、マスク内の空気を暖めることができ、しかもマスク内で暖められた空気が、マスクの上縁から上方へ逃げにくいマスクを提供することを目的としている。
【課題を解決するための手段】
【００１４】
本発明は、鼻と口および両頬を覆う本体部と、前記本体部の左右両側から側方へ延出した一対の耳掛け部とを有するマスクにおいて、
前記本体部には、前記本体部を形成する本体シートよりも剛性の高い補強体が設けられており、この補強体は、前記本体部を左右に二分する縦中心線から左右両側に離れた位置で、且つ前記本体部の上縁に接近した位置または上縁に接する位置に部分的に設けられていることを特徴とするものである。
【００１５】
そして、本発明は、前記補強体の前記縦中心線に向く対向側縁が、前記縦中心線から左右に離れて位置しており、前記本体部は、前記対向縁部に沿って折り曲げ可能とされたものである。
【００１６】
本発明のマスクは、本体部の左右両側で且つ上方位置に補強体が部分的に設けられている。この補強体が顔面に当たったときに、補強体の対向縁部において、本体部が自然に曲がるため、本体部の中央部分が鼻を覆った状態で、鼻の両側部分において、マスクの上縁と顔面との間に隙間が形成されにくくなる。
【００１７】
好ましくは、本発明は、前記縦中心線に沿って、前記本体シートがその内面どうしが対面した状態で接合されているものである。
【００１８】
本体部が縦中心線に沿って上記のように接合されていると、本体部の中央部が前方へ突出した形状となり、この部分が鼻を立体的に覆うようになる。そして、前記縦中心線から左右に離れた位置に、前記補強体が位置しているため、立体的な中央部の側方で本体部が補強体によって曲げ変形させられる。その結果、本体部の上縁は顔面の凹凸形状に倣うようになり、本体部の上縁と顔面との隙間を最小にできる。
【００１９】
例えば、本発明は、前記補強体が、酸素が与えられたときに発熱する発熱体を有している。また、前記補強体には、前記発熱体の少なくとも一方の面を覆う断熱層が設けられているものである。
【００２０】
前記補強体に発熱体が含まれていると、鼻の両側の副鼻腔の部分を暖めることができ、アレルギー性鼻炎や風邪を患っている使用者に快適感を与えることができる。補強体そのものが本体部に比べて小さいために、発熱体を有していても本体部の質量が大きくなりすぎることがない。また本体部の上縁が顔面形状に倣いやすいため、発熱体で暖められた空気が外部に逃げにくい。
【００２１】
ただし、本発明は、前記補強体に発熱体が設けられておらず、補強体が弾性シートを有しているものであってもよい。
【発明の効果】
【００２２】
本発明のマスクは、顔面に装着した状態で、本体部の上縁が顔面の形状に倣いやすくなり、本体部の上縁と顔面との間の隙間を最小にできる。よって、マスクが十分な防塵効果を発揮でき、花粉や病原体の侵入を防ぐ能力を高くできる。また、本体部そのものの質量が大きくなることもなく、重さによって顔面で位置ずれすることも生じにくい。
【００２３】
また、本体部に設けられた補強体に発熱機能を発揮させることができ、この発熱機能によりアレルギー性鼻炎や風邪を患っている使用者に快適感を与えることができるようになる。
【発明を実施するための最良の形態】
【００２４】
図１は本発明の第１の実施の形態のマスクを立体状態とした斜視図、図２は、前記マスクを平坦な形状に折り畳んだ状態を示す側面図、図３は立体状態のマスクを顔面側から見たものであり、図１のＩＩＩ矢視の部分背面図、図４は図３をＩＶ−ＩＶ線で切断した状態の分解断面図、図５は本発明の第２の実施の形態のマスクを示す図４と同等の分解断面図、図６は第１の実施の形態のマスクを顔面に装着した状態を示す正面図、図７は図６のＶＩＩ−ＶＩＩ線での断面図である。
【００２５】
図１に示す第１の実施の形態のマスク１は、鼻と口および両頬を覆う本体部２と、前記本体部２の左右両側から側方へ延出した一対の耳掛け部３，４とを有している。このマスク１は、図３と図６に示す縦中心線Ｏ−Ｏを挟んで左右対称形状である。
【００２６】
前記本体部２は、右本体シート１１と左本体シート１２とで形成されている。右本体シート１１と左本体シート１２は、互いに面対称形状であり、図２に示すようにマスク１を２つ折りにして平坦状としたときに、右本体シート１１と左本体シート１２の縁部どうしが重なる。
【００２７】
図２に示すように、右本体シート１１は、縦中心線Ｏ−Ｏに位置する中央縁１１ａを有し、この中央縁１１ａは前方へ向けて湾曲する凸形状である。中央縁１１ａと逆側に位置する側縁１１ｂは直線状である。中央縁１１ａの上端１１ｃと下端１１ｆとの距離は、側縁１１ｂの上端１１ｄと下端１１ｇとの距離よりも長く、直線状の側縁１１ｂを上下方向に向けたときに、側縁１１ｂの上端１１ｄは、中央縁１１ａの上端１１ｃよりも下側に位置し、側縁１１ｂの下端１１ｇは、中央縁１１ａの下端１１ｆよりも上方に位置している。
【００２８】
右本体シート１１の上縁１１ｅは、前記上端１１ｃと上端１１ｄとの間で、下縁１１ｈに向けて窪む曲線形状である。前記下縁１１ｈは、前記下端１１ｆから前記下端１１ｇに向けて直線状に延びている。
【００２９】
図３および図４に示すように、左本体シート１２は、前記右本体シート１１と同様に、中央縁１２ａ、側縁１２ｂ、上端１２ｃ、上端１２ｄ、上縁１２ｅ、下端１２ｆ、下端１２ｇおよび下縁１２ｈとを有している。
【００３０】
前記右本体シート１１と左本体シート１２は、通気性シートであり、熱融着可能な不織布で形成されている。不織布は、パルプと熱融着可能な合成樹脂繊維とをエアーレイド法で積層し、プレスしてバインダーで繊維間を接合させたエアーレイド不織布、前記構成にさらにレーヨン繊維を含ませたエアーレイド不織布、パルプのみで形成されたエアーレイド不織布、あるいは合成樹脂繊維で形成されたスパンボンド不織布、あるいはメルトブローン不織布、スパンレース不織布など、あるいは前記いずれかの不織布を組み合わせて接合させた複合不織布などで形成される。
【００３１】
右本体シート１１と左本体シート１２は、前記中央縁１１ａと中央縁１２ａとを一致させ、両シート１１，１２の顔面に向く側の面である内面どうしを対面させた状態で、前記中央縁１１ａ，１２ａに沿う接合線１３によって接合されている。その結果、本体部２を立体形状となるように広げると、図１および図７に示すように、縦中心線Ｏ−Ｏにおいて、前記中央縁１１ａと中央縁１２ａとの接合部が前方へ突出する。
【００３２】
一方の前記耳掛け部３は、右耳掛けシート１５で形成され、他方の耳掛け部４は左耳掛けシート１６で形成されている。右耳掛けシート１５と左耳掛けシート１６は、互いに面対称形状であり、図２に示すように、マスク１を２枚重ねの平坦状としたときに、右耳掛けシート１５と左耳掛けシート１６は、その外形が一致する。
【００３３】
図３と図４に示すように、右耳掛けシート１５の内縁１５ａは、右本体シート１１の側縁１１ｂよりも中心よりに位置し、右耳掛けシート１５の一部が右本体シート１１の内面に重ねられた状態で、右耳掛けシート１５と右本体シート１１とが熱溶着されて接合されている。同様に、左耳掛けシート１６の内縁１６ａは、左本体シート１２の側縁１２ｂよりも中心よりに位置し、左耳掛けシート１６の一部が左本体シート１２の内面に重ねられた状態で、左耳掛けシート１６と左本体シート１２とが熱溶着されて接合されている。
【００３４】
右耳掛けシート１５は、前記内縁１５ａと反対側に位置する終端１５ｂに向けて幅寸法が徐々に狭くなる形状であり、この耳掛けシート１５に、耳掛け穴１５ｃが切欠き形成されている。同様に、左耳掛けシート１６は、前記内縁１６ａと反対側に位置する終端１６ｂに向けて幅寸法が徐々に狭くなる形状であり、この耳掛けシート１６に、耳掛け穴１６ｃが切欠き形成されている。
【００３５】
右耳掛けシート１５と左耳掛けシート１６は、共に伸縮性の不織布で形成されている。この伸縮性不織布は、ポリウレタン繊維などの伸縮性繊維を熱で溶着させたポイントボンド不織布、スパンボンド不織布などである。
【００３６】
図３に示すように、本体部２の顔面に向く側の面である内面には、右側補強体２１と左側補強体２２が設けられている。右側補強体２１と左側補強体２２は、面対称形状であり、図２に示すように、マスク１が２枚重ねとされ平坦状とされたときに、右側補強体２１と左側補強体２２のそれぞれの縁部が一致するように重ねられる。
【００３７】
図３に示すように、右側補強体２１の縦中心線Ｏ−Ｏ（接合線１３）に向く対向縁部２１ａは、前記縦中心線Ｏ−Ｏとほぼ平行である。同様に、左側補強体２２の縦中心線Ｏに向く対向縁部２２ａも、縦中央線Ｏ−Ｏとほぼ平行である。前記対向縁部２１ａと接合線１３との距離Ｗ１および対向縁部２２ａと接合線１３との距離Ｗ１は２０ｍｍ以上であり、最大で５０ｍｍである。前記距離Ｗ１の最も好ましい範囲は、２５ｍｍ以上で４０ｍｍ以下である。
【００３８】
右側補強体２１の上縁部２１ｂは、右本体シート１１の上縁１１ｅの形状に沿うように傾斜している。右側補強体２１の上縁部２１ｂは、右本体シート１１の上縁１１ｅとの距離Ｈ１が２０ｍｍ以内、好ましくは１０ｍｍ以内となるように接近して配置されている。また、前記上縁部２１ｂと上縁１１ｅとが一致していてもよい。これは左側補強体２２の上縁部２２ｂと左本体シート１２の上縁１２ｅとの関係においても同じである。
【００３９】
右側補強体２１の下縁部２１ｃと、右本体シート１１の下縁１１ｈとの間には、上下に距離が開けられている。右側補強体２１の対向縁部２１ａの下端と、右本体シート１１の下縁１１ｈとの距離Ｈ２は、前記対向縁部２１ａが位置する部分での右本体シート１１の高さ寸法Ｈ０の１／２以下であり、好ましくは２／５以下である。これは、左側補強体２２と左本体シート１２の下縁１２ｈとの関係においても同じである。
【００４０】
また、右側補強体２１の外側縁部２１ｄは、右本体シート１１の側縁１１ｂよりも中心側に位置し、左側補強体２２の外側縁部２２ｄは、左本体シート１２の側縁１２ｂよりも中心側に位置している。
【００４１】
すなわち、前記右側補強体２１と左側補強体２２は、縦中心線Ｏ−Ｏを挟んで左右両側に等距離離れた位置で、各本体シート１１，１２の上縁１１ｅ，１２ｅに接近しまたは上縁１１ｅ，１２ｅと一致する位置に設けられている。そして、右側補強体２１は右本体シート１１の面積よりも小さく、右本体シート１１の上半分の領域内に位置している。同様に、左側補強体２２は左本体シート１２の面積よりも小さく、左本体シート１２の上半分の領域内に位置している。
【００４２】
右側本体シート２１と左側本体シート２２のそれぞれの面積は、右本体シート１１または左本体シート１２の面積の１／３以下であり、好ましくは１／４以下である。
【００４３】
右側補強体２１と左側補強体２２は、右本体シート１１および左本体シート１２よりも目付け（坪量）が大きく、剛性も高くなっている。よって、本体部２は、縦中心線Ｏ−Ｏから左右に距離Ｗ１だけ離れた位置において、右側補強体２１の対向縁部２１ａに沿って折れ曲がりやすくなっており、また左側補強体２２の対向縁部２２ａに沿って折れ曲がりやすくなっている。
【００４４】
図４に示すように、右側補強体２１は、発熱体３１と、発熱体３１の顔面側である内面を覆う透湿性断熱層３２、および発熱体３１の外面を覆う外側断熱層３３を有している。同様に、左側補強体２２も、発熱体３１と透湿性断熱層３２および外側断熱層３３を有している。
【００４５】
前記発熱体３１は、鉄、アルミニウム、亜鉛などの酸化しやすい金属粉と水、および金属粉を酸化させるための塩類を含んでいる。前記塩類は、塩化ナトリウム、塩化カリウム、塩化カルシウム、塩化マグネシウムなどである。さらに金属粉の酸化を促進させるために、活性炭、カーボンブラック、黒鉛などの炭素材料を含んでもよい。さらには、水分を長時間保持できるように、バーミキュライト、珪酸カルシウム、シリカゲル、シリカなどの保湿剤を含んでもよい。
【００４６】
例えば、発熱体３１は、鉄粉と活性炭とバーミキュライトと木粉を含む発熱基体に、その質量の１０％以上の塩水を含ませたものである。この発熱体３１は酸素が与えられると、金属粉の酸化反応により発熱し、含まれている水分が蒸発して水蒸気を発生する。
【００４７】
前記透湿性断熱層３２は、発熱体３１で発せられた熱を緩和させるものである。また透湿性断熱層３２は、発熱体３１で発生した水蒸気を通過させることが可能である。透湿性断熱層３２は、多数の水蒸気通過孔が形成された発泡ポリエチレンや発泡ポリウレタンなどの発泡樹脂シートである。あるいは、透湿性断熱層３２は、複数枚の不織布が重ねられたものなどであってもよい。
【００４８】
前記外側断熱層３３は、水蒸気通過孔を有していない発泡樹脂シート、あるいは複数の不織布が重ねられたものなどである。
【００４９】
前記右側補強体２１と前記左側補強体２２は、発熱体３１と透湿性断熱層３２および外側断熱層３３の少なくとも１つが存在している部分を意味しており、前記右側補強体２１と前記左側補強体２２の形状は、発熱体３１と透湿性断熱層３２および外側断熱層３３の少なくとも１つによって決められる。
【００５０】
右側補強体２１と左側補強体２２の内面側は、共通の透湿性シート３４で覆われている。また右側補強体２１と左側補強体２２の外面側は、共通の非透湿性シート３５で覆われている。前記透湿性シート３４は、スパンレース不織布、ポイントボンド不織布、スパンボンド不織布あるいはスルーエアー不織布などの不織布であり、前記非透湿性シート３５は、樹脂フィルム、あるいは不織布と樹脂フィルムとを積層して形成されたものである。
【００５１】
右側補強体２１と左側補強体２２とを挟んだ状態で、透湿性シート３４と非透湿性シート３５とが互いに接着されて、または熱溶着されて、２つの補強体２１と２２を連結する連結体が構成される。前記非透湿性シート３５の前記本体部２に向く外面には接着剤層が塗布されており、前記連結体が、本体部２を構成する右本体シート１１の内面および左本体シート１２の内面に接着されている。
【００５２】
このマスク１は、空気を遮断できる外装袋内に密封されている。使用時に外装袋から取り出すと、透湿性シート３４および透湿性断熱層３２を経て発熱体３１に酸素が供給されて、発熱体３１に含まれている金属粉が酸化反応し、酸化熱を発する。またこの熱により発熱体３１の内部の水分が蒸発し、透湿性断熱層３２と透湿性シート３４を通過して顔面に向けて水蒸気が放出される。
【００５３】
図６と図７は、前記マスク１が顔面に装着された状態を示している。
このマスク１は、本体部２で鼻と口および両頬を覆うようにし、右耳掛けシート１５の耳掛け穴１５ｃと左耳掛けシート１６の耳掛け穴１６ｃを、それぞれの耳に掛けて装着される。
【００５４】
理想的な顔面への装着状態では、本体部２を構成する右本体シート１１の上端１１ｃと左本体シート１２の上端１２ｃとの接合部が、鼻の頂部の上方に位置し、右本体シート１１の上縁１１ｅと、左本体シート１２の上縁１２ｅがそれぞれ目の真下に位置する。
【００５５】
本体部２が顔面に装着された状態で、右側補強体２１と左側補強体２２は、鼻の左右両側の両頬の上方位置で且つ目の真下（副鼻腔付近）に当たるように設置される。右側補強体２１と左側補強体２２は所定の面積を有し、顔面に向く内面を有しているため、本体部２が両耳掛けシート１５と１６の引っ張り力を受けると、前記右側補強体２１と左側補強体２２とが頬の肌表面に密着しやすくなる。右側補強体２１と左側補強体２２とが顔面に密着しやすくなるため、右本体シート１１の上縁１１ｅおよび左本体シート１２の上縁１２ｅと、頬との間に隙間が生じにくくなる。
【００５６】
さらに、図７に示すように、右本体シート１１と右側補強体２１との剛性の差、および左本体シート１２と左側補強体２２との剛性の差によって、本体部２は、右側補強体２１の対向縁部２１ａと、左側補強体２２の対向縁部２２ａに沿って、顔面に向けて窪むように折り曲がりやすくなる。
【００５７】
縦中心線Ｏ−Ｏの部分では、中央縁１１ａと中央縁１２ａとの接合線１３の部分が前方へ突出して、図７に示すように断面が凸三角の立体形状となり、この部分で鼻が覆われる。そして凸三角の立体形状の両側部において、右側補強体２１の対向縁部２１ａに沿って、また左側補強体２２の対向縁部２２ａに沿って、本体部２は顔面側が山側となるように折り曲げられる。
【００５８】
そのため、右本体シート１１の上縁１１ｅと左本体シート１２の上縁１２ｅが顔面の凹凸形状に倣うようになり、前記上縁１１ｅ，１２ｅと顔面との間に隙間が形成されにくくなる。そのため、マスク１の本体部２が外部からの埃や花粉などの侵入を防止する効果を高めることができる。
【００５９】
右側補強体２１と左側補強体２２に設けられた発熱体３１から発せられた熱は、透湿性断熱層３２によって適度な温度とされ、鼻の両側の副鼻腔付近が温められる。この加温によって、アレルギー性鼻炎や風邪などの症状を緩和させる効果を発揮できる。さらに発熱体３１から発せられる水蒸気が本体部２内に与えられることになり、加湿効果により喉の痛みを緩和させるなどの効果も期待できる。前記のように、本体部２の上縁１１ｅ，１２ｅと顔面との間に隙間が形成されにくいため、本体部２内で加温された空気や水蒸気が外部に逃げにくくなる。
【００６０】
図５は本発明の第２の実施の形態を示している。
図５に示すマスク１Ａは、右側補強体２１Ａと左側補強体２２Ａとが、発熱体３１を有しておらず、本体シート１１，１２よりも剛性が高く且つ曲げたときに弾性復元力を発揮する弾性シート３６で形成されている。この弾性シート３６は発泡ポリエチレンや発泡ポリウレタンなどの発泡樹脂シート、複数の紙材が重ねられたもの、あるいは複数の不織布が重ねられたもの、あるいは前記各素材を組み合わせて重ねたもので形成される。
【００６１】
第２の実施の形態のマスク１Ａも、顔面に装着したときに、図７に示すように、右側補強体２１Ａと左側補強体２２Ａが頬に密着し、それぞれの補強体２１Ａ，２２Ａの対向縁部２１ａ，２２ａに沿って本体部２が顔面に向けて窪むように折り曲がりやすくなる。よって、本体部２の上縁１１ｅ，１２ｅと顔面との間の隙間が生じにくくなる。その結果、埃や花粉が口と鼻に到達するのを防止しやすくなり、また、本体部２と顔面との間の空気の保温効果を発揮できる。
【００６２】
また、右側補強体２１Ａと左側補強体２２Ａが発泡樹脂シートや不織布のように内部に空気を含んだ素材で形成されていると、この補強体２１Ａと２２Ａが副鼻腔を覆うことにより、副鼻腔に対する保温効果を発揮でき、その結果、アレルギー性鼻炎や風邪の症状の緩和機能を期待できる。
【図面の簡単な説明】
【００６３】
【図１】本発明の第１の実施の形態のマスクを示す斜視図、
【図２】マスクを平坦な状態にした側面図、
【図３】マスクの本体部を顔面側から見たものであり、図１のＩＩＩ矢視の部分背面図、
【図４】図３のＩＶ−ＩＶ線で切断した状態を示す分解断面図、
【図５】第２の実施の形態のマスクを示す図４と同じ部分の分解断面図、
【図６】マスクが顔面に装着された状態を示す正面図、
【図７】図６のＶＩＩ−ＶＩＩ線の断面図、
【符号の説明】
【００６４】
１  マスク
２  本体部
３，４  耳掛け部
１１  右本体シート
１１ｅ  上縁
１２  左本体シート
１２ｅ  上縁
１５  右耳掛けシート
１６  左耳掛けシート
２１  右側補強体
２１ａ  対向縁部
２２  左側補強体
２２ａ  対向縁部
３１  発熱体
３２  透湿性断熱層
３３  外側断熱層
３４  透湿性シート
３５  非透湿性シート
３６  弾性シート
【図１】
2006102145.tif 000003
【図２】
2006102145.tif 000004
【図３】
2006102145.tif 000005
【図４】
2006102145.tif 000006
【図５】
2006102145.tif 000007
【図６】
2006102145.tif 000008
【図７】
2006102145.tif 000009